(57)【要約】【課題】構成が簡単で、容易に組立可能なディスクドライブを提供すること。【解決手段】ディスクドライブは、窓部を有する筐体と、筐体に対して進退自在に設けられて、光ディスクを載置可能なディスクトレイ５０と、筐体の枠体１５にディスクトレイ５０の進退方向に対して、略直交するとともに、平面方向となる側板面１６１がディスクトレイ５０の進退方向に対して傾斜する板ばね１６と、ディスクトレイ５０の両側縁に設けられるとともに、板ばね１６に係合可能な突起部５３と、を具備した。【選択図】図６
2008210428.tif 000002
【特許請求の範囲】
【請求項１】
開口部を有する筐体と、
前記開口部から前記筐体の内外に進退自在に設けられるとともに、記録媒体を載置可能な載置部を備えたトレイと、
前記筐体の前記トレイの進退方向に略沿う側面に対向する位置上に設けられるとともに、前記トレイの搬送面に対して略直交する方向で、かつ平面方向が前記トレイの進退方向と交差する方向に傾斜して設けられる略板状の弾性片体と、
前記トレイの進退方向に略沿う側面に設けられるとともに、前記弾性片体と係合可能な突起部と、
を具備したことを特徴とした記録媒体搬送装置。
【請求項２】
請求項１に記載の記録媒体搬送装置であって、
前記弾性片体は、前記平面方向が前記開口部から離れるに従って前記トレイの進退経路から離れた位置から前記トレイの進退経路に近接する方向に傾斜し、
前記トレイの進退経路に近接する一端部に前記突起部に係合する係合縁を備えた
ことを特徴とした記録媒体搬送装置。
【請求項３】
請求項２に記載の記録媒体搬送装置であって、
前記係合縁は、前記平面方向となす角が前記トレイの進退方向に略直交する方向と前記平面方向とがなす角よりも小さい鋭角となる状態に形成された
ことを特徴とした記録媒体搬送装置。
【請求項４】
請求項１ないし請求項３のいずれかに記載の記録媒体搬送装置であって、
前記筐体は、前記トレイから離隔する方向に凹状となる凹部を備え、
前記弾性片体は、この凹部に設けられた
ことを特徴とした記録媒体搬送装置。
【請求項５】
請求項１ないし請求項４のいずれかに記載の記録媒体搬送装置であって、
前記弾性片体は、前記筐体との接続位置である基端側厚み寸法が、先端側の厚み寸法よりも大きく形成された
ことを特徴とした記録媒体搬送装置。
【請求項６】
請求項１ないし請求項５のいずれかに記載の記録媒体搬送装置であって、
前記一対の弾性片体は、前記トレイの進退経路を挟んで設けられた
ことを特徴とした記録媒体搬送装置。
【請求項７】
請求項６に記載の記録媒体搬送装置であって、
前記弾性片体は、前記トレイの進退方向に略直交する幅方向における同一直線上に設けられた
ことを特徴とした記録媒体搬送装置。
【請求項８】
請求項１ないし請求項７のいずれかに記載の記録媒体搬送装置と、
前記記録媒体搬送装置により搬送された前記記録媒体の情報を読み込む読込処理および前記記録媒体に情報を書き込む書込処理のうち少なくともいずれか一方の処理を実施する情報処理部と、
を具備したことを特徴としたディスク装置。
【発明の詳細な説明】
【技術分野】
【０００１】
本発明は、記録媒体を搬送する記録媒体搬送装置、及びディスク装置に関する。
【背景技術】
【０００２】
従来、装置の内外に進退可能なトレイを備え、このトレイにＣＤ（Compact Disc）やＤＶＤ（Digital Versatile Disc）などの記録媒体を載置して、記録媒体を装置内外へ搬送するディスク装置が知られている（例えば、特許文献１参照）。
【０００３】
特許文献１に記載のものは、トレイと、トレイ引き出し時にトレイが傾くのを防止するためのトレイ押さえを有する装置本体と、を備えたディスク装置である。このディスク装置では、トレイ押さえはフック状に形成され、トレイを装置本体に装着する際に、トレイ押さえが横方向に撓んでトレイが装着可能となるように構成されている。
そして、フック状のトレイ押さえはトレイの当接部に当接して移動を始めたトレイが傾くことを防ぐ構成が採られている。
【０００４】
【特許文献１】特開２００３−１９６９０７号公報
【発明の開示】
【発明が解決しようとする課題】
【０００５】
ところで、上記特許文献１に記載のような従来のディスク装置では、フック状のトレイ押えにテーパ状に形成された係合部材が設けられている。このようなこのトレイ押えを形成するためには、係合部材に対応して係合部材設置用の孔を設ける必要がある。このような孔を設けると、粉塵が装置内に進入するだけでなく、装置内部の駆動モータ等から発生する音が外部に漏れ騒音となる恐れがある。一方、孔を設けない場合、係合部材を形成するために複雑な形状の金型が必要となり、製造コストも増大するという問題がある。
さらに、上記特許文献１のようなディスク装置では、トレイを装置本体に装着する際、トレイ抑えをトレイの進退方向に対して略直交する方向に撓ませなければならず、大きな力が必要であるという問題がある。
【０００６】
本発明は上記のような問題に鑑みて、簡単な構成で、容易に組立可能な記録媒体搬送装置およびディスク装置を提供することを１つの目的とする。
【課題を解決するための手段】
【０００７】
請求項１に記載の発明は、開口部を有する筐体と、前記開口部から前記筐体の内外に進退自在に設けられるとともに、記録媒体を載置可能な載置部を備えたトレイと、前記筐体の前記トレイの進退方向に略沿う側面に対向する位置上に設けられるとともに、前記トレイの搬送面に対して略直交する方向で、かつ平面方向が前記トレイの進退方向と交差する方向に傾斜して設けられる略板状の弾性片体と、前記トレイの進退方向に略沿う側面に設けられるとともに、前記弾性片体と係合可能な突起部と、を具備したことを特徴とした記録媒体装置である。
【０００８】
請求項８に記載の発明は、請求項１ないし請求項７のいずれかに記載の記録媒体搬送装置と、前記記録媒体搬送装置により搬送された前記記録媒体の情報を読み込む読込処理および前記記録媒体に情報を書き込む書込処理のうち少なくともいずれか一方の処理を実施する情報処理部と、を具備したことを特徴とするディスク装置である。
【発明を実施するための最良の形態】
【０００９】
以下、本発明に係る一実施の形態のディスク装置を図面に基づいて説明する。本実施の形態では、光ディスクを載置し、装置内外に進退可能なトレイを有するディスク装置としてのディスクドライブを例示して説明するが、例えば携帯型のディスク装置やディスクドライブを備えた例えば映像データの録画などの記録や再生のための処理をする再生装置、記録装置あるいはゲーム機などのディスク装置を対象とすることもできる。また、ディスクの平面が略水平方向に沿って装着される利用形態で説明するが、平面が略鉛直方向に沿って装着される利用形態でも適用できる。
【００１０】
[ディスクドライブの構造]
図１は、本発明における一実施の形態に係るディスクドライブの概略構成を示す分解斜視図である。図２は、前記実施の形態におけるディスクドライブの枠体の平面図である。図３は、前記実施の形態におけるディスクトレイの平面図である。図４は、前記実施の形態におけるディスクドライブの枠体に設けられた板ばね周辺の概略を示す断面図である。図５は、前記実施の形態におけるディスクドライブの板ばね周辺を示す拡大平面図である。
【００１１】
図１において、１００はディスクドライブで、このディスクドライブ１００は、金属製の筐体１０を有している。この筐体１０は、下面および前面が２面に亘って開口する上ケース１１と、この上ケース１１の下面を閉塞する下ケース１２と、上ケース１１の正面となる前面を閉塞する化粧板１３とを有し、略矩形状に構成されている。
【００１２】
上ケース１１は、長方形平板状の天板部１１１と、天板部１１１の長手方向の両側縁に略垂直で一連に折曲形成された側板部１１２とにより、下面と、前面と、背面とを開口して形成されている。
下ケース１２は、上ケース１１の天板部１１１と略同形状の長方形平板状に形成され、化粧板１３は、例えばアクリロニトリル−ブタジエン−スチレン（ＡＢＳ；Acrylonitrile-Butadiene-Styrene）などの合成樹脂製の略板状に形成されている。この化粧板１３には、長手方向となる左右方向に長手状の開口部としての窓部１３１が開口形成されている。この窓部１３１は、後述するトレイとしてのディスクトレイ５０が進退可能となる大きさに形成されている。
【００１３】
筐体１０は、剛性および絶縁性を有し弾性変形可能な部材である例えばＡＢＳなどの合成樹脂製の枠体１５を備えている。この枠体１５は、上ケース１１、下ケース１２および化粧板１３とにより筐体１０を構成し、内部に収容空間１８を区画形成する。
そして、枠体１５は、図１および図２に示すように、上ケース１１の側板部１１２の内面に密着する側面部１５１と、上ケース１１の長手方向の後端部となる一端縁に密着する端面部１５２と、側面部１５１および端面部１５２の内面側に内方に向けて突出する支持リブ１５３と、端面部１５２と反対側である前面側の端部に架橋するように設けられた開閉駆動配設部１５４とを有し、軸方向の両端面を開口する略長方形枠状に形成されている。
【００１４】
枠体１５の側面部１５１には、内方に向けて突出する規制爪部１５５がそれぞれ突設されている。この規制爪部１５５は、下面の先端と、枠体１５の支持リブ１５３の上面との間の距離が所定の間隔となる状態に突設されている。
【００１５】
また、枠体１５の支持リブ１５３には、図２に示すように、案内リブ１５６が複数突設されている。この案内リブ１５６は、枠体１５の側面部１５１から内方に向けて突出する部分の支持リブ１５３に、枠体１５の長手方向である前後方向に沿って直線状に位置する状態にそれぞれ直列状に複数突設されている。そして、案内リブ１５６は、前側である開閉駆動配設部１５４に向けて次第に幅狭となる平面視で涙粒状の柱状に所定の高さ寸法で突設されている。
【００１６】
支持リブ１５３の窓部１３１側で、かつ窓部１３１の長手方向両端側近傍には、図２および図４に示すように、それぞれ凹部１５７が設けられている。この凹部１５７はディスクトレイ５０から離隔する方向に凹状に設けられている。
そして、この凹部１５７の中央部には、それぞれ略板状の弾性片体としての板ばね１６が上ケース１１の天板部１１１に向かって立ち上がり形成される。また、これらの板ばね１６は、窓部１３１からの距離が等しい位置、すなわち、ディスクトレイ５０の進退方向に略直交する直線上にそれぞれ配設されている。そして、これらの板ばね１６は、枠体１５に対して略直交して所定の高さ寸法で設けられている。また、この板ばね１６は、枠体１５の形成時に板ばね１６に対応する型を有する金型により枠体１５と一体形成されている。
【００１７】
そして、この板ばね１６は、平面方向となる側板面１６１が、窓部１３１から離隔するに従って、枠体１５の一方の側面部１５１からディスクドライブ１００の略中心部に近接する方向、すなわちディスクトレイ５０の進退経路に向かう方向に傾斜する状態に形成されている。
また、この板ばね１６の窓部１３１から離隔する側には、後述するディスクトレイ５０の突起部５３に係合可能な係合縁１６２が形成されている。この係合縁１６２は、側板面１６１となす角が、ディスクトレイ５０の進退方向と直交する方向、すなわち一方の側面部１５１から他方の側面部１５１に向かう方向と側板面１６１とがなす角よりも小さい鋭角状となる曲面形状に形成されている。なお、側板面１６１と係合縁１６２とは、曲面で接する構成に限らず、例えば鋭角で接する構成などとしてもよい。
【００１８】
さらに、板ばね１６は、基端部である側板面１６１と枠体１５との接続部１６４が曲面状に形成されている。また、板ばね１６における側板面１６１と反対側の側板面１６３も同様に、枠体１５との接続部１６４が曲面状に形成されている。つまり、板ばね１６の接続部１６４は、凹部１５７から天板部１１１に向かうに従って厚みが薄くなるように形成されている。なお、本実施の形態では、接続部１６４が曲面状に形成される例を示すが、例えば接続部１６４は、側板面１６１，１６３から凹部１５７に向かうに従って、板ばね１６の厚み寸法が増大する傾斜面状に形成されている構成などとしてもよい。
【００１９】
また、この枠体１５には、図１に示すように、例えば金属製の平板枠状に形成された台座部２１を有している。この台座部２１の中央部には、移動可能なピックアップ４２と、回転用電動モータ２６と、が配設されている。ピックアップ４２は図示しない光源と、この光源からの光を収束するレンズと、光ディスク２００から反射された光を検出する図示しない光センサとを備えている。回転用電動モータ２６には、ターンテーブル２７が一体的に設けられ、このターンテーブル２７に光ディスク２００を載置できる。
【００２０】
また、枠体１５には、この枠体１５の内側に支持リブ１５３の上方側で水平方向に進退可能に移動する搬送体としてのディスクトレイ５０が配設されている。なお、筐体１０とディスクトレイ５０とにより本発明の記録媒体搬送装置が構成されている。
このディスクトレイ５０は、図１に示すように、例えば合成樹脂にて略長方形板状に形成されたトレイであるトレイ部５１を有している。そして、トレイ部５１の一面には、上方に向けて拡開する略円形凹状で光ディスク２００が載置可能な載置凹部５１１が設けられている。また、トレイ部５１には、載置凹部５１１の略中央から外周縁に亘ってターンテーブル２７およびピックアップ４２が接触することなく進入可能にトレイ部５１の長手方向に沿って長手状に切り欠かれた開口部５１２が切欠形成されている。そして、このトレイ部５１の長手方向の前側となる一縁には、筐体１０の化粧板１３の窓部１３１を閉塞する長手板状の窓閉塞板部５２が着脱可能に取り付けられている。
【００２１】
さらに、トレイ部５１の長手方向の両側部には、図１に示すように、下端縁から側方に向けてフランジ状に突出するガイド鍔部５１３がそれぞれ設けられている。これらガイド鍔部５１３は、規制爪部１５５により、ディスクトレイ５０が載置凹部５１１が開口する側である上方に向けて移動することを規制され、ディスクトレイ５０の脱落が防止される。
【００２２】
また、ガイド鍔部５１３の進退方向の両側部であり窓閉塞板部５２と反対側の背面端部側には、図３に示すように、外方に突出する凸状の突起部５３がそれぞれ設けられている。なお、これらの突起部５３は、ディスクトレイ５０と一体形成された構成を例示するが、これに限定されず、例えば別個独立に設けた後トレイ部５１に固定する構成などとしてもよい。また、これらの突起部５３は、ディスクトレイ５０の両側面に設けられるこれら一対の突起部５３の先端間の距離寸法が、枠体１５の一対の板ばね１６の係合縁１６２間の距離寸法より若干大きくなるように突出形成されている。
そして、これらの突起部５３は、窓閉塞板部５２側の係合面５３１と、背面端部側に向かうに従ってガイド鍔部５１３側に近接する方向に傾斜した当接面５３２を有している。
【００２３】
係合面５３１は、中央部が背面端部側に凹状となる曲面状に形成されている。なお、係合面５３１は、背面端部側に向かうに従ってガイド鍔部５１３側に傾斜する傾斜面状に形成されていてもよい。この係合面５３１は、ディスクトレイ５０がディスクドライブ１００から排出される排出方向に所定量移動されると、板ばね１６の係合縁１６２に係合されて、ディスクトレイ５０の搬出方向への移動を規制する。
【００２４】
当接面５３２は、窓閉塞板部５２側から背面端部側に向かうに従って、ガイド鍔部５１３側に近接する略テーパ状に形成されている。この当接面５３２は、ディスクトレイ５０を枠体１５に装着する際、側板面１６１と当接する。この時、当接面５３２は、略テーパ状に形成されているため、装着時における板ばね１６を撓ませる力を小さくすることが可能となる。
【００２５】
さらに、トレイ部５１の裏面となる載置凹部５１１が設けられた面と反対側の面に、長手方向に沿った裏面側である下方に向けて開口する図示しない係合凹溝部が設けられている。この係合凹溝部には、枠体１５の案内リブ１５６がディスクトレイ５０の進退移動で係脱可能に係合される。案内リブ１５６が係合する係合凹溝部および、規制爪部１５５にて移動規制されるガイド鍔部５１３により、ディスクトレイ５０は、がたつきなく移動可能に案内される。
また、トレイ部５１の裏面には、係合凹溝部の下方に位置する状態で図示しないラッチが設けられている。
【００２６】
そして、枠体１５には、図１に示すように、開閉駆動配設部１５４に位置してディスクトレイ５０を進退移動させる駆動手段が配設されている。この駆動手段は、駆動伝達プーリ６１、この駆動伝達プーリ６１に係合する駆動伝達ギヤ６２、この駆動伝達ギヤ６２に設けられるとともにディスクトレイ５０のラッチに係合する移動ギヤ６３、および図示しない出入用電動モータからなる。この出入用電動モータの出力軸には、図示しないプーリが一体的に設けられている。このプーリと駆動伝達プーリ６１とには無端ベルト６４が掛け渡され、出入用電動モータの駆動により、プーリ、駆動伝達プーリ６１、駆動伝達ギヤ６２および移動ギヤ６３が回転し、ディスクトレイ５０が化粧板１３の窓部１３１から進退可能に移動される。
【００２７】
また、枠体１５には、図１に示すように、側面部１５１間に架橋する状態で固定される回転子支持部材１７が設けられている。この回転子支持部材１７は、略薄型皿状に形成され、一縁がディスクトレイ５０の載置凹部５１１に対応する円弧状に形成され、載置凹部５１１を略覆って光ディスク２００が収容される収容空間１８を区画形成する。
また、枠体１５には、図１に示すように、回路基板７５が取り付けられている。回路基板７５は、筐体１０の下ケース１２と略同寸法の平板状で、枠体１５の下面を閉塞して本体部２０を覆うように取り付けられる。
【００２８】
また、ディスクドライブ１００は、図示しない制御回路部を備えている。この制御回路部は、例えば図示しないコネクタ部に接続され、コネクタ部から供給される電力により動作可能となる。この制御回路部は、ディスクドライブ１００全体の動作を制御する。具体的には、制御回路部は、出入用電動モータに接続され、例えば利用者により図示しないイジェクトボタンが操作されるなどして、ディスクトレイ５０を進退させる旨の入力信号が入力されると、この出入用電動モータに所定の電力を供給して駆動させる制御をする。さらに、制御回路部は、ピックアップ４２に電気的に接続され、ピックアップ４２の動作を適宜制御する。そして、制御回路部は、ピックアップ４２にて読み込んだ光ディスク２００の情報が入力されると、適宜コネクタ部を介して外部機器に出力する制御をする。また、制御回路部は、コネクタ部を介して外部機器から入力された情報を、ピックアップ４２に出力する制御をする。
【００２９】
[ディスクドライブの動作]
[トレイ搬出動作]
次に、上記実施の形態のディスクドライブ１００の動作におけるトレイ搬出動作について説明する。
【００３０】
筐体１０内にディスクトレイ５０を収納したディスクドライブ１００に電力が供給され、
例えば利用者により図示しないイジェクトボタンが操作されるなどすると、ディスクドライブ１００の制御回路部は、出入用電動モータに所定の電力を供給して駆動させる制御をする。この出入用電動モータの駆動により、プーリ、駆動伝達プーリ６１、駆動伝達ギヤ６２および移動ギヤ６３が回転し、この回転駆動はラッチに伝えられる。これにより、ラッチに係合したディスクトレイ５０は、ディスクドライブ１００から搬出される方向に移動する。
【００３１】
そして、図５に示すように、ディスクトレイ５０が筐体１０から所定量搬出されると、ディスクトレイ５０の突起部５３の係合面５３１が枠体１５に設けられた板ばね１６と係合する。これにより、ディスクトレイ５０の突起部５３は、板ばね１６よりも窓部１３１側に移動できず、ディスクトレイ５０の搬出が停止する。
【００３２】
[トレイ部装着動作]
次に、上記実施の形態のディスクトレイ５０の装着動作について図面に基づいて説明する。図６は、ディスクドライブにおけるディスクトレイの装着時の動作を説明するための板ばね周辺の拡大平面図である。
【００３３】
ディスクドライブ１００の枠体１５に、ディスクトレイ５０を装着する際には、枠体１５の正面側（窓部１３１側）から端面部１５２に向かってディスクトレイ５０を筐体１０内に挿入する。
具体的には、図６に示すように、ディスクトレイ５０を所定寸法だけ枠体１５に挿入すると、突起部５３の当接面５３２は、板ばね１６の側板面１６１に当接する。そして、ディスクトレイ５０にさらに端面部１５２側に挿入すると、当接面５３２が板ばね１６を、側板面１６１の面方向に対して略直交する方向Ｆに応力が加わり、板ばね１６は側板面１６１と直交する外方向に撓む。そして、突起部５３が板ばね１６の係合縁１６２より端面部１５２側に移動すると、板ばね１６が元の位置に戻り、ディスクトレイ５０が筐体１０に装着される。
【００３４】
[ディスクドライブの作用効果]
上述したように、上記実施の形態のディスクドライブ１００では、枠体１５は、支持リブ１５３に対して略直交して立ち上がり形成されるとともに、ディスクトレイ５０の進退方向に対して傾斜する側板面１６１を有する板ばね１６を備え、枠体１５に対して進退自在に設けられるディスクトレイ５０には、この板ばね１６に係合可能な突起部５３が設けられている。
このため、ディスクトレイ５０を搬出方向に移動させた際に、設けられた板ばね１６の係合縁１６２が、ディスクトレイ５０に設けられた突起部５３と係合し、ディスクトレイ５０の搬出方向の移動を規制することができ、ディスクトレイ５０の脱落を防止することができる。また、板ばね１６に係合部材を新たに設ける必要がなく、枠体１５に孔部が形成されないため、簡単な構成で良好な防塵、防音効果を得ることができる。また、複雑な金型を用いずに板ばね１６を形成できるので、枠体１５の形成時に容易に一体形成でき、製造性を向上させることができる。
さらに、ディスクトレイ５０を装着する際に、板ばね１６を側板面１６１に略直交する方向Ｆに撓ませればよく、ディスクトレイ５０の進退方向に略直交する方向に撓ませる必要がないので、板ばね１６を撓ませるために必要な力が小さくできる。したがって、ディスクトレイ５０の装着を容易に実施でき、ディスクドライブ１００の組み立ても容易に実施できる。
【００３５】
そして、板ばね１６は、ディスクトレイ５０の進退経路に近接する一端部に突起部５３に係合する係合縁１６２を備えている。
このため、係合縁１６２は、ディスクトレイ５０が後退方向に移動した際に突起部５３と係合し、良好にディスクトレイ５０の抜け落ちを防止することができる。
【００３６】
また、係合縁１６２は、側板面１６１となす角がディスクトレイ５０の進退方向に略直交する方向と側板面１６１とがなす角よりも小さい鋭角に形成される。
このため、係合縁１６２は、ディスクトレイ５０が搬出方向に移動した際に突起部５３が係合縁１６２の斜面に沿って窓部１３１側に移動してしまう不都合を防止でき、良好にディスクトレイ５０の脱落を防止できる。
【００３７】
さらに、板ばね１６は、窓部１３１の長手方向の両端側近傍に一対設けられている。
このため、一対の板ばね１６で、ディスクトレイ５０の両側面に設けられる一対の突起部５３を係合させて、ディスクトレイ５０の搬出方向の移動を規制することができる。よって、ディスクトレイ５０が搬出方向に移動した際に、より良好にディスクトレイ５０の脱落を防止できる。
【００３８】
また、枠体１５は、ディスクトレイ５０から離隔する方向に凹状となる凹部１５７を備え、板ばね１６は、この凹部１５７に立ち上がり形成されている。
このため、板ばね１６は、枠体１５との接続部１６４から、突起部５３に係合可能な板ばね１６の先端部までの長さ寸法が長くなり、小さな応力で撓みやすくなる。したがって、トレイを装着する際、板ばね１６にかける力が小さくてすむので、ディスクトレイ５０を装着しやすくなり、容易に組み立てることができる。
【００３９】
そして、板ばね１６は、枠体１５との接続部１６４が曲面状に形成されている。すなわち、板ばね１６の枠体１５との接続部１６４は、板ばね１６の先端側から枠体１５側に向かうに従って厚み寸法が大きくなるように形成されている。
このため、板ばね１６の強度を強くすることができ、ディスクトレイ５０の装着時に、側板面１６１に略直交する方向に力を受けて撓んだ際の破損などを防止できる。
【００４０】
さらに、板ばね１６はディスクトレイ５０の進退方向に略直交する幅方向における同一直線上に設けられている。
このため、ディスクトレイ５０を装着する際板ばね１６を同時に撓ませることができ、製造性を良好にできる。また、ディスクトレイ５０が搬出方向に移動した際に、一対の突起部５３が一対の板ばね１６の係合縁１６２に同時に当接することができ、良好にディスクトレイ５０の脱落を防止することができる。
【００４１】
〔実施の形態の変形〕
なお、本発明は、上述した実施の一形態に限定されるものではなく、本発明の目的を達成できる範囲で以下に示される変形をも含むものである。
【００４２】
例えば、前記実施の形態では、板ばね１６は、窓部１３１の近傍にそれぞれ設ける構成を示したが、これに限られない。例えば、ディスクトレイ５０の進退方向に略沿う側面に対向する位置上に設けられていればよく、窓部１３１から離れた位置にあってもよい。
【００４３】
また、前記実施の形態では、板ばね１６は、窓部１３１の両端側に設ける構成を示したが、これに限られない。例えば、窓部１３１のどちらか一方の端部に設けることもできる。
【００４４】
そして、前記実施の形態では、板ばね１６の平面方向である側板面１６１は、窓部１３１から離れるに従ってディスクトレイ５０の進退経路から離れた位置からディスクトレイ５０の進退経路に近接する方向に傾斜するとしたが、これに限らない。例えば、板ばね１６は、側面部１５１から、反対側の側面部１５１に向かって立ち上がり形成されていてもよい。この際、板ばね１６の平面方向にある側板面１６１は、開口部から離れるに従って支持リブ１５３から離れた位置から支持リブ１５３に近接する方向に傾斜している。また、側板面１６１は、開口部から離れるに従って支持リブ１５３に近接した位置から支持リブ１５３にから離れる方向に傾斜してもよい。
【００４５】
また、この係合縁１６２は、側板面１６１となす角が、ディスクトレイ５０の進退方向、すなわち一方の側面部１５１から他方の側面部１５１に向かう方向と側板面１６１とがなす角よりも小さい鋭角状となる曲面形状に形成されている構成を示したが、例えば係合縁１６２がディスクトレイ５０の進退方向に対して略直交して形成された構成としてもよい。
【００４６】
また、上記したように、接続部１６４は曲面状に形成された例に限らず、例えば板ばね１６の先端から枠体１５に近接するに従って板ばね１６の厚み寸法が大きくなる傾斜面状に形成されている構成などとしてもよい。
【００４７】
その他、本発明の実施の際の具体的な構造および手順は、本発明の目的を達成できる範囲で他の構造などに適宜変更できる。
〔実施の形態の効果〕
【００４８】
上述したように、上記実施の形態のディスクドライブ１００では、枠体１５は、支持リブ１５３に対して略直交して立ち上がり形成されるとともに、ディスクトレイ５０の進退方向に対して傾斜する側板面１６１を有する板ばね１６を備え、枠体１５に対して進退自在に設けられるディスクトレイ５０には、この板ばね１６に係合可能な突起部５３が設けられている。
このため、ディスクトレイ５０を搬出方向に移動させた際に、設けられた板ばね１６の係合縁１６２が、ディスクトレイ５０に設けられた突起部５３と係合し、ディスクトレイ５０の搬出方向の移動を規制することができ、ディスクトレイ５０の脱落を防止することができる。また、板ばね１６に係合部材を新たに設ける必要がなく、枠体１５に孔部が形成されないため、簡単な構成で良好な防塵、防音効果を得ることができる。また、複雑な金型を用いずに板ばね１６を形成できるので、枠体１５の形成時に容易に一体形成でき、製造性を向上させることができる。
さらに、ディスクトレイ５０を装着する際に、板ばね１６を側板面１６１に略直交する方向Ｆに撓ませればよく、ディスクトレイ５０の進退方向に略直交する方向に撓ませる必要がないので、板ばね１６を撓ませるために必要な力が小さくできる。したがって、ディスクトレイ５０の装着を容易に実施でき、ディスクドライブ１００の組み立ても容易に実施できる。
【図面の簡単な説明】
【００４９】
【図１】本発明における一実施の形態に係るディスクドライブの概略構成を示す分解斜視図である。
【図２】前記実施の形態におけるディスクドライブの枠体の平面図である。
【図３】前記実施の形態におけるディスクトレイの平面図である。
【図４】前記実施の形態におけるディスクドライブの枠体に設けられた板ばね周辺の概略を示す断面図である。
【図５】前記実施の形態における前記実施の形態におけるディスクドライブの板ばね周辺を示す拡大平面図である。
【図６】前記実施の形態におけるディスクドライブにおけるディスクトレイの装着時の動作を説明するための板ばね周辺の拡大平面図である。
【符号の説明】
【００５０】
１０…筐体
１５…枠体
１６…弾性片体としての板ばね
４２…情報処理部としてのピックアップ
１３１…開口部としての窓部
５０…トレイとしてのディスクトレイ
５３…突起部
１００…ディスク装置としてのディスクドライブ
２００…記録媒体としての光ディスク
【図１】
2008210428.tif 000003
【図２】
2008210428.tif 000004
【図３】
2008210428.tif 000005
【図４】
2008210428.tif 000006
【図５】
2008210428.tif 000007
【図６】
2008210428.tif 000008